(57)【要約】【課題】ハンドル軸上にスプール制動装置及び逆転防止装置を備えた魚釣用リ−ルの実用時における、良好な制動力の調節操作及び魚釣り操作の実現を可能とすることを目的とする。【解決手段】一方向クラッチ１９によって一方向の回転が許容され他方向の回転が阻止されるハンドル軸７に摩擦結合される駆動歯車１７を設け、ハンドル軸７に螺合した制動力調節体２０の回動操作で駆動歯車１７の摩擦結合力を強弱に変更することでスプール６の制動力を調節できるようにした構成において、一方向クラッチ１９の回り止め嵌合部２６ａと、ハンドル軸７の軸受支持部２６ｂと、軸受支持部２６ｂの径方向外側に環状凹部２６ｃを形成する筒状部２６ｄと、を夫々一体形成した支持体２６を一方の側板３ｂに固定し、支持体２６の環状凹部２６ｃ内に制動力調節体２０の一側に形成した環状突部２０ａを軸方向に移動可能にしたことを特徴とする。【選択図】        図２
2005270012.tif 000002
【特許請求の範囲】
【請求項１】
リール本体の一方の側板側に回転自在に支持されると共に一方向クラッチによって一方向の回転が許容され他方向の回転が阻止されるハンドル軸に制動部材で摩擦結合される駆動歯車を設け、該駆動歯車により前記リール本体の側板間に支持されたスプールを回転可能とすると共に、前記ハンドル軸に螺合した制動力調節体の回動操作で前記制動部材を押圧して前記駆動歯車の摩擦結合力を強弱に変更することで前記スプールの制動力を調節できるようにした魚釣用リールにおいて、前記一方向クラッチの回り止め嵌合部と、前記ハンドル軸の軸受支持部と、該軸受支持部の径方向外側に環状凹部を形成する筒状部と、を夫々一体形成した支持体を前記一方の側板に固定し、該支持体の環状凹部内に前記制動力調節体の一側に形成した環状突部を軸方向に移動可能にしたことを特徴とする魚釣用リ−ル。
【発明の詳細な説明】
【技術分野】
【０００１】
本発明は、リール本体の側板間に回転自在に支持されたスプールに制動力を付与するスプール制動装置及びこのスプールを巻き取り駆動回転操作するハンドル軸の釣糸繰り出し方向の逆回転を防止する逆転防止装置を備えた魚釣用リ−ルに関する。
【背景技術】
【０００２】
従来、魚釣用リールは、リール本体の側板間に回転自在に支持したスプールには、特許文献１で知られるように、適度な制動力を付与して魚釣り時における釣糸の切断防止や魚との対応をトラブルなく容易にするために制動装置が設けられていると共に、ハンドルの逆転方向における空転量を少なくして魚信時におけるフッキング操作性の向上を図るために、転がり式一方向クラッチをハンドル軸とリール本体の側板との間に設けてハンドル軸の巻き取り方向の正回転を許容し、繰り出し方向の逆回転を防止する逆転防止装置を備えている。
【０００３】
特許文献１の図４で知られる魚釣用リールは、転がり式一方向クラッチの回り止め嵌合部の一側に駆動軸（ハンドル軸）を回転支持するベアリング支持用の封止部を内側に向けて形成した筒体が、リール本体の外側板の支持部に回り止め固定されている。この筒体の端部には筒状部が軸方向に突設され、駆動軸に螺合されたドラグ調節部材の一側に形成した環状突部が、前記筒体の筒状部の径方向外側に重合配置可能に構成されている。
【特許文献１】特許第３４２５２５５号公報（図４）
【発明の開示】
【発明が解決しようとする課題】
【０００４】
上記した特許文献１の図４に開示されている外側板に回り止め固定される筒体の支持構成は、転がり式一方向クラッチとベアリングとを共に単一部材で支持する構成を採用することより、高精度の同芯度が得ることが可能となって、駆動軸の逆転防止機能と回転性能の向上が共に図れる構成上のメリットは期待できる。
【０００５】
この支持構成は、駆動軸上の筒体内に転がり式一方向クラッチとベアリングが軸方向に並設されると共に、この筒体内のベアリングの一側には、更に、ドラグ構成部材（複数のバネ部材、ドラグ調節部材等）が装着されている。駆動軸に軸方向に進退自在に螺合されるドラグ調節部材の一側には環状突部が形成され、この環状突部は、筒体の一側に形成した筒状部の径方向外側に間隙を形成して重合するように配設されているので、釣場の移動時や実用時に外力がドラグ調節部材の環状突部に加わって傷や変形が生じ易く、ドラグ調節部材の回動操作に支障を来すと共に、環状突部に手の指が接触し易く、良好な魚釣り操作性が得られない。又、ドラグ調節部材の環状突部が、外側板に突設した支持部の一側部に固定された筒体の側部に軸方向に間隙を有した状態で配設されているので、駆動軸上に装備されるドラグ構成部材の積層軸方向長が長くなって大型化して携帯性に劣ると共に、ハンドル側の重量偏倚が大きてバランスが悪く、魚釣り操作性に劣る、等の改良すべき問題が残されている。
【０００６】
本発明は、上記問題に基づいて成されたものであり、ハンドル軸上にスプール制動装置及び逆転防止装置を備えた魚釣用リ−ルの実用時における、良好な制動力の調節操作及び魚釣り操作の実現を可能とすることを目的とする。
【課題を解決するための手段】
【０００７】
上記した目的を達成するために、本発明に係わる魚釣用リールは、リール本体の一方の側板側に回転自在に支持されると共に一方向クラッチによって一方向の回転が許容され他方向の回転が阻止されるハンドル軸に制動部材で摩擦結合される駆動歯車を設け、該駆動歯車により前記リール本体の側板間に支持されたスプールを回転可能とすると共に、前記ハンドル軸に螺合した制動力調節体の回動操作で前記制動部材を押圧して前記駆動歯車の摩擦結合力を強弱に変更することで前記スプールの制動力を調節できるようにした魚釣用リールにおいて、前記一方向クラッチの回り止め嵌合部と、前記ハンドル軸の軸受支持部と、該軸受支持部の径方向外側に環状凹部を形成する筒状部と、を夫々一体形成した支持体を前記一方の側板に固定し、該支持体の環状凹部内に前記制動力調節体の一側に形成した環状突部を軸方向に移動可能にしたことを特徴とする。
【発明の効果】
【０００８】
本発明によれば、一方向クラッチの回り止め嵌合部とハンドル軸の軸受支持部と軸受支持部の径方向外側に環状凹部を形成する筒状部とを夫々一体形成した支持体の環状凹部内に、制動力調節体の環状突部を軸方向に移動可能とする構成を採用したので、側板外面に付着されている水分やゴミ等は、筒状部によって制動装置内部に浸入し難いと共に、制動力調節体の環状部に回動操作時に手の指が接触し難く、良好な制動力の調節操作が行える。
更に、制動力調節体の環状突部を、ハンドル軸を支持する軸受の径方向外方の領域において、軸方向に少なくとも一部を重合する範囲にまで移動が可能となるため、ドラグ構成部材の積層軸方向長の短縮化が図れてハンドル側の重量偏倚が少なくなり、重量バランスの改善が図られて魚釣り操作性が向上する。
【発明を実施するための最良の形態】
【０００９】
以下、本発明に係わる魚釣用リールの実施形態について、添付図面を参照して具体的に説明する。
図１〜図３は、本発明に係わる魚釣用リールの一実施形態を示す図であり、図１は平面図、図２は要部の一部切欠断面図、図３は図２の主要部拡大断面図である。
【００１０】
本実施形態の魚釣用リールのリール本体１は、左右フレーム２ａ、２ｂと、各フレームに対し、所定の空間をもって装着される左右側板３ａ、３ｂとを備えており、一方の右フレーム２ｂ及び一方の右側板３ｂには、ハンドル５を装着したハンドル軸７が回転可能に支持されている。左右側板３ａ、３ｂは図示しないネジで左右フレーム２ａ、２ｂに着脱可能に取り付け固定されている。
【００１１】
左フレーム２ａの図示しない軸受及び右フレーム２ｂ側に設けた複数の軸受４ａ、４ｂ、４ｃ等で支持されているスプール軸５を介してスプール６が回転可能に支持されている。
スプール６の前方（釣糸繰り出し側）の左右フレーム２ａ、２ｂ間に形成された図示しない公知の収容部には、スプール駆動用モータＭが収容保持されている。スプール駆動用モータＭの動力は、遊星歯車から成る減速機構８、歯車又はベルト等から構成される動力伝達部９を介してスプール軸５に伝達される。
【００１２】
スプール軸５の右フレーム２ｂ側には、太陽歯車１０が回り止め固定され、この太陽歯車１０には、スプール６の側部に固定されたカバー体１４の基部内周に設けた軸受４ｂで支持される支持部材１１に回転可能に軸支されている遊星歯車１２が噛合し、この遊星歯車１２はスプール６の側部内側に一体的に形成された内歯歯車１３に噛合している。スプール６の側部には環状のカバー体１４が固定され、このカバー体１４の基部外周は右フレーム２ｂの前記軸受４ｃに回転可能に支持されて、スプール６を左右フレーム２ａ、２ｂ間に回転可能に支持している。
【００１３】
前記支持部材１１の右側板３ｂ側の端部には、回り止め係合部１１ａが形成され、右フレーム２ｂに設けた軸受４ｄと右側板３ｂに設けた軸受４ｅに回転自在で且つ軸方向移動可能に支持されたピニオン１５のスプール６側の端部に形成したクラッチ係合部１５ａが、図２の係合状態である釣糸巻き取り状態（クラッチＯＮ）からスプール６の後方側の左右フレーム２ａ、２ｂ間に上下方向に変位可能に設けた切換部材１６を下方へ移動操作することで、公知の作動部材を介して前記支持部材１１の回り止め係合部１１ａからピニオン１５のクラッチ係合部１５ａが分離されて係合状態が解除され、スプール６が釣糸放出状態（クラッチＯＦＦのスプールフリー可能状態）に切換わる。
又、このスプール６の釣糸放出状態から前記ハンドル５を巻き取り方向に回転操作すると、
図示しない公知の復帰機構を介して前記ピニオン１５がスプール６側に移動して前記支持体１１の回り止め係合部１１ａに再係合し、スプール６が釣糸巻き取り状態に復帰する。
【００１４】
右フレーム２ｂに設けた軸受４ｆと右側板３ｂに設けた軸受２２で回転自在に支持された前記ハンドル軸７に回転可能状態でドラグ機構Ｄによって摩擦結合される駆動歯車１７は、前記ピニオン１５に噛合し、ハンドル５を回転することでハンドル軸７、ドラグ機構Ｄ、駆動歯車１７、ピニオン１５、支持部材１１、遊星歯車１２、内歯歯車１３等を介して手動回転力がスプール６に伝達され、釣糸がスプール６に巻回される。尚、ハンドル５による回転力がスプール６に伝達されるように、スプール駆動モータＭの右フレーム２ｂ側のモータ駆動軸側には一方向クラッチ１８が設けられている。
図２中の１９は、ハンドル軸７とリール本体１の右側板３ｂ側との間に設けられた転がり式一方向クラッチで、転がり式一方向クラッチ１９の楔作用により、ハンドル軸７の巻き取り方向の正回転を許容し、逆回転を防止する逆転防止装置を構成している。２０は、前記駆動歯車１７の摩擦結合力（ドラグ力）を調節する前記ハンドル軸７に進退可能に螺合されている制動力調節体（ドラグ力調節部材）である。
【００１５】
この制動力調節体２０を回動操作することで、板バネ２１、軸受２２（ハンドル軸７を右側板３ｂに支持する軸受）、一方向クラッチ１９の内輪２３（ハンドル軸７に軸方向移動可能に回り止め嵌合されている）を介して複数の制動部材２４を押圧して、前記ハンドル軸７に対する前記駆動歯車１７の摩擦結合力、つまり、動力伝達されるスプール６に付与される制動力が調節される。
【００１６】
リール本体１の右側板３ｂのハンドル側支持部３ｃには、転がり式一方向クラッチ１９の外輪１９ａの外周非円形部を回り止め固定する回り止め嵌合部２６ａ（内周非円形部）と、軸受２２を支持する軸受支持部２６ｂと、軸受支持部２６ｂの径方向外側に環状凹部２６ｃ（空間部）を形成する筒状部２６ｄと、を夫々一体形成した支持体２６が固着（インサート成形、接着、圧入、カシメ、ネジ止め等の公知手段で右側板３ｂのハンドル側支持部３ｃに一体化）されている。
支持体２６は、右側板３ｂより高強度を有する材料で形成され、公知の金属材料や繊維強化樹脂で形成され、適宜公知の耐食性及び外観装飾用の表面処理が施されている。
【００１７】
制動力調節体２０の基部側には、筒状の環状部２０ａが右側板３ｂに向けて一体形成され、この環状部２０ａは、前記右側板３ｂに固定された支持体２６の筒状部２６ｄの径方向内側に間隙を有した状態で、ハンドル軸７に螺合される制動力調節体２０の回動操作による環状凹部２６ｃ内の軸方向移動を許容するように配設されている。
本発明はこのように、転がり式一方向クラッチ１９の回り止め嵌合部２６ａとハンドル軸７の軸受支持部２６ｂと軸受支持部２６ｂの径方向外側に環状凹部２６ｃを形成する筒状部２６ｄとを夫々一体形成した支持体２６の環状凹部２６ｃ内に、制動力調節体２０の環状突部２０ａを軸方向に移動可能とするハンドル軸７の支持構成を採用したので、側板外面に付着されている水分やゴミ等は、筒状部２６ｄによって制動装置内部に浸入し難いと共に、制動力調節体２０の環状突部２０ａに回動操作時に手の指が接触し難く、良好な制動力の調節操作が行える。
更に、制動力調節体２０の環状突部２０ａを、ハンドル軸７を支持する支持体２６の軸受支持部２６ｂで支持される軸受２２の径方向外方の軸方向に少なくとも一部を重合する範囲まで移動が可能となるため、ドラグ構成部材の積層軸方向長の短縮化が図れてハンドル側の重量偏倚が少なくなり、重量バランスの改善が図られて魚釣り操作性が一段と向上する。
【産業上の利用可能性】
【００１８】
前記説明では、スプールをスプール駆動モータで巻き取り駆動する手動併用電動リールで述べたが、手動ハンドル巻き取り専用の魚釣用リ−ルに実施してもよい。
【図面の簡単な説明】
【００１９】
【図１】本発明に係わる魚釣用リールの一実施形態を示す平面図である。
【図２】要部の一部切欠断面図である。
【図３】図２の主要部拡大断面図である。
【符号の説明】
【００２０】
１      リ−ル本体
３ｂ    一方の側板
６      スプール
７      ハンドル軸
１９    一方向クラッチ
２４    制動部材
２０    制動力調節体
２０ａ  環状突部
２６    支持体
２６ａ  回り止め嵌合部
２６ｂ  軸受支持部
２６ｃ  環状凹部
２６ｄ  筒状部
【図１】
2005270012.tif 000003
【図２】
2005270012.tif 000004
【図３】
2005270012.tif 000005